(57)【要約】【課題】動画や静止画などの画像を前方のスクリーンに拡大投影するプロジェクタにおいて、小型軽量化及び低コストを実現しつつ、電子部品が光源からの熱の影響をほとんど受けることがないようにする。【解決手段】ハウジング２を、その前後方向において前方に配置された第１収納部２Ａと、後方に配置された第２収納部２Ｂに２分割し、第１収納部２Ａと第２収納部２Ｂの間に空洞部４を形成し、第１収納部２Ａと第２収納部２Ｂを熱的に絶縁する。光源１１、カラーホイール１３、反射板（集光部材）１２、ＤＭＤ１７及び投影レンズ１８を、前記第１収納部２Ａに収納し、ＤＭＤ駆動回路２１、全体制御回路２２、光源駆動回路２３及び電源回路２４を第２収納部２Ｂに収納する。それにより、各回路を構成する電子部品は、光源１１からの熱の影響をほとんど受けることはない。【選択図】図１
2007316175.tif 000002
【特許請求の範囲】
【請求項１】
光源と、
光源から出射された光の光路上に設けられ、三原色に相当するカラーフィルタが所定角度ピッチで形成され、一定速度で回転するカラーホイールと、
前記光源から出射された光を前記カラーホイール上の一部に集光するための、少なくとも反射板を備えた集光部材と、
前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
少なくとも前記光源及び前記電源回路を冷却するための冷却風を発生させる冷却ファンと、
前記各部材を収納するハウジングを備えたプロジェクタにおいて、
前記ハウジングは、前記投影レンズによる投影方向において、前方に配置された第１収納部と、後方に配置された第２収納部と、前記第１収納部と前記第２収納部の間に形成され、前記第１収納部と前記第２収納部を熱的に絶縁するための空気層を形成する、前記投影方向に対して直交する幅方向を長手方向とする断面が略矩形の空洞部と、前記幅方向において前記空洞部に隣接するように形成された導通部を有し、
前記光源、前記カラーホイール、前記集光部材、前記ＤＭＤ及び前記投影レンズは、前記第１収納部に収納され、
前記ＤＭＤ駆動回路、前記全体制御回路、前記光源駆動回路及び前記電源回路は、前記第２収納部に収納され、
少なくとも、前記冷却ファンの一部分、前記光源と前記光源駆動回路を接続するケーブル、前記ＤＭＤと前記ＤＭＤ駆動回路を接続するケーブルは、前記導通部に収納され、
それによって、前記光源から発生された熱を前記空洞部による空気層によって熱的に絶縁し、小型軽量化及び低コストを実現しつつ、電子部品が光源からの発熱の影響をほとんど受けることがないことを特徴とするプロジェクタ。
【請求項２】
画像を形成する画像形成素子と、画像形成素子を照明する光源と、画像形成素子により形成された画像を前方に拡大投影する投影レンズと、前記画像形成素子及び前記光源を駆動するための駆動回路が実装された回路基板と、前記各部材を収納するハウジングを備えたプロジェクタにおいて、
前記ハウジングは、前記画像形成素子と、前記光源と、前記投影レンズが収納される第１収納部と、前記回路基板が収納される第２収納部と、前記第１収納部と前記第２収納部を熱的に絶縁するための空気層を形成する空洞部を有していることを特徴とするプロジェクタ。
【請求項３】
前記第１収納部は、前記投影レンズによる投影方向において、前記ハウジングの前方に配置され、前記第２収納部は前記ハウジングの後方に配置され、
前記空洞部は、前記投影方向に対して直交する幅方向を長手方向とする断面が略矩形状であることを特徴とする請求項２に記載のプロジェクタ。
【請求項４】
前記ハウジングの上面及び底面において、前記空洞部と連通する開口が形成されていることを特徴とする請求項１乃至３のいずれか一項に記載のプロジェクタ。
【発明の詳細な説明】
【技術分野】
【０００１】
本発明は、動画や静止画などの画像を前方のスクリーンに拡大投影するプロジェクタに関する。
【背景技術】
【０００２】
動画や静止画などの画像を前方のスクリーンに拡大投影するプロジェクタでは、光源として高輝度の放電ランプや高輝度ＬＥＤなどを用いているため、光源から大量の熱が発生される。一方、プロジェクタの小型軽量化により、ハウジング内部に実装される各部品間の距離が短くなる傾向にある。そのため、光源からの発熱により、プロジェクタのハウジング内部の温度が上昇し、回路基板上の電子部品などに悪影響を与える可能性がある。例えば、温度が上昇しすぎるとＣＰＵは機能しなくなるし、ＦＥＴなどのパワートランジスタではその出力が低下する。そのため、プロジェクタでは、光源の熱を如何にして冷却するか、あるいは光源からの熱を遮蔽するかが重要であり、従来から様々な提案がなされている。
【０００３】
例えば特許文献１では、プロジェクタのハウジングのフロントパネルの温度が過度に上昇するのを防止するために、フロントパネルに排気口を設けると共に、風呂とパネルの裏面にアルミニウムテープを貼付している。しかしながら、フロントパネルに排気口を設ける必要があるため、デザイン上の自由度が制約される。また、回路基板上の電子部品に対する熱遮蔽については考慮されていない。
【０００４】
特許文献２では、ＬＥＤアレイを光源としたプロジェクタにおいて、例えば赤、緑及び青のＬＥＤアレイをそれぞれ実装した３枚の基板及びもう１枚の第４基板で空間を形成し、その空間に冷却風を導入して光源を冷却している。第４基板に電子部品を実装することにより、電子部品からの発熱を冷却することができると共に、光源からの熱により電子部品が受ける影響を低減することができる。しかしながら、各基板上に実装されたＬＥＤアレイの発光の方向がそれぞれ異なるため、これらの光源からの光を投影レンズに導くために、それぞれ個別の光学系を必要とし、プロジェクタの光学系の構成が複雑になる。その結果、プロジェクタが大型化すると共にコストアップになる。
【特許文献１】実登３０９６３８９号公報
【特許文献２】特開２００５−１４８６９４号公報
【発明の開示】
【発明が解決しようとする課題】
【０００５】
本発明は、上記従来例の問題を解決するためになされたものであり、小型軽量化及び低コストを実現しつつ、電子部品が光源からの発熱の影響をほとんど受けることがないプロジェクタを提供することを目的とする。
【課題を解決するための手段】
【０００６】
上記目的を達成するために請求項１の発明は、光源と、光源から出射された光の光路上に設けられ、三原色に相当するカラーフィルタが所定角度ピッチで形成され、一定速度で回転するカラーホイールと、前記光源から出射された光を前記カラーホイール上の一部に集光するための、少なくとも反射板を備えた集光部材と、前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、少なくとも前記光源及び前記電源回路を冷却するための冷却風を発生させる冷却ファンと、前記各部材を収納するハウジングを備えたプロジェクタにおいて、
前記ハウジングは、前記投影レンズによる投影方向において、前方に配置された第１収納部と、後方に配置された第２収納部と、前記第１収納部と前記第２収納部の間に形成され、前記第１収納部と前記第２収納部を熱的に絶縁するための空気層を形成する、前記投影方向に対して直交する幅方向を長手方向とする断面が略矩形の空洞部と、前記幅方向において前記空洞部に隣接するように形成された導通部を有し、
前記光源、前記カラーホイール、前記集光部材、前記ＤＭＤ及び前記投影レンズは、前記第１収納部に収納され、前記ＤＭＤ駆動回路、前記全体制御回路、前記光源駆動回路及び前記電源回路は、前記第２収納部に収納され、少なくとも、前記冷却ファンの一部分、前記光源と前記光源駆動回路を接続するケーブル、前記ＤＭＤと前記ＤＭＤ駆動回路を接続するケーブルは、前記導通部に収納され、
それによって、前記光源から発生された熱を前記空洞部による空気層によって熱的に絶縁し、小型軽量化及び低コストを実現しつつ、電子部品が光源からの発熱の影響をほとんど受けることがないことを特徴とする。
【０００７】
請求項２に係る発明は、画像を形成する画像形成素子と、画像形成素子を照明する光源と、画像形成素子により形成された画像を前方に拡大投影する投影レンズと、前記画像形成素子及び前記光源を駆動するための駆動回路が実装された回路基板と、前記各部材を収納するハウジングを備えたプロジェクタにおいて、前記ハウジングは、前記画像形成素子と、前記光源と、前記投影レンズが収納される第１収納部と、前記回路基板が収納される第２収納部と、前記第１収納部と前記第２収納部を熱的に絶縁するための空気層を形成する空洞部を有していることを特徴とする。
【０００８】
請求項３に係る発明は、請求項２に記載のプロジェクタにおいて、前記第１収納部は、前記投影レンズによる投影方向において、前記ハウジングの前方に配置され、前記第２収納部は前記ハウジングの後方に配置され、前記空洞部は、前記投影方向に対して直交する幅方向を長手方向とする断面が略矩形状であることを特徴とする。
【０００９】
請求項４に係る発明は、請求項１乃至３のいずれかに記載のプロジェクタにおいて、前記ハウジングの上面及び底面において、前記空洞部と連通する開口が形成されていることを特徴とする。
【発明の効果】
【００１０】
請求項１の発明によれば、ハウジングの内部空間を、投影レンズによる投影方向、すなわちハウジングの前後方向において第１収納部と第２収納部に分割し、第１収納部と第２収納部の間に空気層を形成する空洞部を設けたので、第１収納部と第２収納部が熱的に絶縁される。一方、その発光に伴って高熱を発生する光源は第１収納部に収納され、ＤＭＤ駆動回路、全体制御回路、光源駆動回路及び電源回路を構成する電子部品は第２収納部に収納されているので、光源で発生された熱は空洞部で遮断され、直接的に各電子部品に伝わることはない。また、冷却ファンの一部分が空洞部に隣接する導通部に設けられているので、冷却ファンによって発生された冷却風が第１収納部及び第２収納部にそれぞれ導入され、光源及び電源回路などで発生された熱は、冷却ファンにより発生された冷却風によってハウジングの外部に排出される。その結果、第２収納部に収納された各電子部品は、空洞部によって光源の発熱に対して熱的に絶縁され、光源からの発熱の影響をほとんど受けることはなく、機能低下や動作不能に陥ることはない。
【００１１】
また、従来のものの構成と比較して、ハウジングに空気層を形成するための空洞部をさらに形成しただけであるので、ハウジングを製造するための金型が若干複雑になる程度であって、ハウジングの製造コストは従来のものと差はない。むしろ、冷却ファンとして、パワーの小さいものを用いることができるなど、冷却対策に必要なコストを低減することが可能になる。また、熱絶縁のための空気層として、ハウジングの前後方向における空洞部の厚さは、さほど大きくなくてもよい。そのため、プロジェクタ自体の大きさも、従来のものとほとんど変わらず、むしろ、光源とＤＭＤ駆動回路、全体制御回路、光源駆動回路及び電源回路の距離を近くすることができるので、プロジェクタの小型軽量化も可能である。
【００１２】
請求項２の発明によれば、ハウジングの内部空間を、第１収納部と第２収納部に分割し、第１収納部と第２収納部の間に空気層を形成する空洞部を設けたので、第１収納部と第２収納部が熱的に絶縁され第２収納部に収納された各電子部品は、光源からの発熱の影響をほとんど受けることはなく、機能低下や動作不能に陥ることはない。
【００１３】
請求項３の発明によれば、ハウジングの内部空間を、ハウジングの前後方向において第１収納部と第２収納部に２分割したので、画像形成素子、光源及び投影レンズなどで構成され、第１収納部に収納される光学エンジン及び駆動回路が実装され、第２収納部に収納される回路基板を、いずれも他方の影響を受けることなく独自に設計することができる。また、第１収納部と第２収納部の間に設けられた空洞部を、幅方向を長手方向とする断面が略矩形状としたので、空洞部がハウジングの前後方向の寸法に与える影響を小さくすることができる。その結果、ハウジングの前後方向の寸法と幅方向の寸法を、バランスよく決定することができ、プロジェクタの外観デザインの自由度を高くすることができる。
【００１４】
請求項４の発明によれば、空洞部がハウジングの上面及び底面に形成された開口に連通している、すなわち空洞部の上下が開口しているので、空洞部の内側を外気が通過することが可能となる。そのため、空洞部を形成する壁を介して、ハウジングの内部で発生した熱を放熱することも可能である。
【発明を実施するための最良の形態】
【００１５】
本発明の一実施形態にかかるプロジェクタについて、図面を参照しつつ説明する。図１は、本発明に係るプロジェクタ１の構成を平面断面図である。また、図２は、プロジェクタ１の外観を示す斜視図である。さらに、図３は、プロジェクタ１の回路構成を示すブロック図である。このプロジェクタ１は、パーソナルコンピュータやビデオカメラなどから入力された映像信号（画像データ）を用いて画像を形成し、前方に設けられたスクリーンに拡大投影する装置である。
【００１６】
図１に示すように、プロジェクタ１は、おおまかに、ハウジング２の前方側に配置され、外部から入力された映像信号を用いて画像を形成し、前方のスクリーンに拡大投影する光学エンジン１０と、ハウジング２の後方側に配置され、外部から入力された映像信号を処理して光学エンジン１０を制御する制御部２０で構成されている。
【００１７】
光学エンジン１０は、例えば放電ランプなどの光源１１と、光源から出射された光のうち後方に出射された光を前方に反射させると共に、所定の領域に集光させる反射板（集光部材）１２と、光源１１から出射された光の光路上に設けられ、三原色に相当するカラーフィルタが所定角度ピッチで形成され、一定速度で回転するカラーホイール１３と、カラーホイール１３を一定速度で回転させるモータ１４と、カラーホイール１３を挟んで光源に対向するように設けられ、所定の内径を有する光トンネル１５と、光トンネルを透過した光束を所定方向に反射するミラー１６と、光トンネル１５及びミラー１６を介して、カラーホイール１３を透過した光束の光路上に設けられ、二次元的に配列された微小ミラーの集合体であって、外部から入力された映像信号に応じて微小ミラーの角度を変化させ、カラーホイール１３を透過した光束を所定方向（第１の方向）と所定方向以外の第２の方向に反射させるＤＭＤ（デジタルマイクロミラーデバイス）１７と、ＤＭＤ１７に対して第１の方向に配置され、ＤＭＤ１７により反射された光束をスクリーン上に投影する投影レンズ１８などで構成されている。
【００１８】
反射板１２は、例えば回転楕円面状に形成されており、光源１１が回転楕円面の一方の焦点近傍に配置され、カラーホイール１３の一部が回転楕円面の他方の焦点近傍に位置するように配置されている。図中、カラーホイール１３よりも右側は、光源ユニットとして独立したユニットに構成され、より多くの光をカラーホイール１３上に集光するために、光源ユニットの内面は、例えば鏡面仕上げされている。一方、光トンネル１５よりも左側は、迷光の影響を少なくするための暗箱ユニットとして形成され、暗箱ユニットの内面は、反射光を吸収するように反射防止塗料が塗布されている。
【００１９】
一方、制御部２０は、映像信号を用いてＤＭＤ１７を駆動するＤＭＤ駆動回路２１と、プロジェクタ１の全体を制御する全体制御回路２２と、光源１１を駆動する光源駆動回路２３と、ＤＭＤ駆動回路２１、全体制御回路２２及び光源駆動回路２３を含むプロジェクタ１の各部に電力を供給するための電源回路２４と、少なくとも光源１１及び電源回路２４を冷却するための冷却風を発生させる冷却ファン３を有している。ＤＭＤ駆動回路２１及び全体制御回路２２は、例えばＣＰＵ、ＲＯＭ、ＲＡＭなどで構成されている。また、必要に応じて、ノイズ除去フィルタなども設けられている。光源駆動回路２３は、放電ランプなどの光源１１を電力が一定となるように制御するためのインバータ回路であり、コイル、ダイオード、ＦＥＴなどで構成されている。放電ランプは、点灯開始直後、その温度が低く、電圧が低いため、電力が一定になるように制御すると大電流がランプに流れてしまい、ランプ寿命が低下するという問題を有している。そのため、光源駆動回路２３は、ランプ点灯開始から一定時間、ランプに流れる電流を制限するウオーミングアップ動作を行う。電源回路２４は、例えば１００Ｖや２００Ｖなどの交流商用電源を入力として、例えば１２Ｖや２４Ｖなどの直流電圧電源を発生させる回路であり、コイル、ダイオード、ＦＥＴなどで構成されている。
【００２０】
一般的に、光源駆動回路２３や電源回路２４を構成する部品は、ＣＰＵ、ＲＯＭ、ＲＡＭなどに比べて大きく、かつ重い。そのため、光源駆動回路２３及び電源回路２４の構成部品は、ハウジング２の底部近傍に設けられた第１回路基板２５上に実装されている。また、第１回路基板２５上には、光源駆動回路２３や電源回路２４以外の回路２７を構成する部品も実装されている。一方、ＤＭＤ駆動回路２１及び全体制御回路２２を構成する部品は、光源駆動回路２３や電源回路２４を構成する部品に比べて小さく、かつ軽い。そのため、ＤＭＤ駆動回路２１及び全体制御回路２２の構成部品は、光源駆動回路２３及び電源回路２４が実装されている第１回路基板２５とは異なる第２回路基板２６上に実装されている。
【００２１】
なお、光源駆動回路２３及び電源回路２４の構成部品の全部が第１回路基板２５上に実装されている必要はなく、これら光源駆動回路２３及び電源回路２４の一方又は両方の一部分だけが第１回路基板２５上に実装され、残りは他の回路基板（図示せず）などに実装されていてもよい。同様に、ＤＭＤ駆動回路２１及び全体制御回路２２の構成部品の全部が第２回路基板２６上に実装されている必要はなく、これらＤＭＤ駆動回路２１及び全体制御回路２２の一方又は両方の一部分だけが第２回路基板２６上に実装され、残りは他の回路基板（図示せず）などに実装されていてもよい。
【００２２】
図１及び図２に示すように、冷却ファン３は、ハウジング２の外部からハウジング２の内部に空気を取り入れて、光源１１、光源駆動回路２３、電源回路２４などの熱源から発生される熱を吸収し、温度が上昇した熱風をハウジング２の外部に排気させるものである。図１に示す構成では、冷却ファン３により発生された冷却風の一部を光学エンジン１０側に導入すると共に、残りを制御部２０側に導入している。
【００２３】
図１に示すように、ハウジング２は、投影レンズ１８による投影方向、すなわち前後方向において、前方に配置された第１収納部２Ａと、後方に配置された第２収納部２Ｂと、第１収納部２Ａと第２収納部２Ｂの間に形成された空洞部４と、投影方向（前後方向）に対して直交する幅方向において、空洞部４に隣接するように形成された導通部２Ｃ及び２Ｄを有している。空洞部４は、例えば幅方向を長手方向とする断面が略矩形の筒状体であり、第１収納部２Ａと第２収納部２Ｂを熱的に絶縁するための空気層を形成する。このように、ハウジング２の内部空間を、ハウジング２の前後方向において第１収納部２Ａと第２収納部２Ｂに２分割したので、ＤＭＤ１７などの画像形成素子、光源１１及び投影レンズ１８などで構成され、第１収納部２Ａに収納される光学エンジン１０及びＤＭＤ駆動回路２１、全体制御回路２２、光源駆動回路２３、電源回路２４などの駆動回路が実装され、第２収納部に収納される制御部２０の各回路基板２５及び２６を、いずれも他方の影響を受けることなく独自に設計することができる。また、第１収納部２Ａと第２収納部２Ｂの間に設けられた空洞部４を、幅方向を長手方向とする断面が略矩形状としたので、空洞部４がハウジング２の前後方向の寸法に与える影響を小さくすることができる。その結果、ハウジング２の前後方向の寸法と幅方向の寸法を、バランスよく決定することができ、プロジェクタ１の外観デザインの自由度を高くすることができる。また、図２に示すように、ハウジング２の上面及び底面には、空洞部４と連通する開口４ａ及び４ｂが形成されている。空洞部４は、ハウジング２の前後方向及び幅方向のいずれにおいても略中央部に設けられており、プロジェクタ１のデザイン上の特徴の一つにもなっている。
【００２４】
光源１１、カラーホイール１３、反射板（集光部材）１２、ＤＭＤ１７及び投影レンズ１８などで構成された光学エンジン１０は、第１収納部２Ａに収納され、ＤＭＤ駆動回路２１、全体制御回路２２、光源駆動回路２３及び電源回路２４などで構成された制御部２０は、第２収納部２Ｂに収納されている。また、冷却ファン３の一部分、光源１１と光源駆動回路２３を接続するケーブル５Ａ、ＤＭＤ１７とＤＭＤ駆動回路２１を接続するケーブル５Ｂなどは、導通部２Ｃ及び２Ｄに収納されている。
【００２５】
このように、ハウジング２の内部空間を、その前後方向において第１収納部２Ａと第２収納部２Ｂに分割し、第１収納部２Ａと第２収納部２Ｂの間に空気層を形成する空洞部４を設けたので、第１収納部２Ａと第２収納部２Ｂが熱的に絶縁される。そのため、光源１１で発生された熱は空洞部４で遮断され、直接的に制御部２０の各電子部品に伝わることはない。また、冷却ファン３の一部分が空洞部４に隣接する導通部２Ｄに設けられているので、冷却ファン３によって発生された冷却風が第１収納部２Ａ及び第２収納部２Ｂにそれぞれ導入され、光源１１及び電源回路２４などで発生された熱は、冷却ファン３により発生された冷却風によってハウジング２の外部に排出される。
【００２６】
第２回路基板２６には、上記のようにＤＭＤ駆動回路２１及び全体制御回路２２を構成するＣＰＵ、ＲＯＭ、ＲＡＭ、ノイズ除去フィルタなどが実装されている。また、光源駆動回路２３や電源回路２４には、ＦＥＴなどのパワートランジスタなどが用いられている。一般的に、これら半導体を用いた電子部品は、その温度が一定の値以上に高くなると、性能が低下し、さらには動作不能に陥ることが知られている。しかしながら、第２収納部２Ｂに収納された制御部２０の各電子部品は、空洞部４によって光源１１の発熱に対して熱的に絶縁されている。そのため、制御部２０の電子部品は、光源１１からの発熱の影響をほとんど受けることはなく、機能低下や動作不能に陥ることはない。さらに、空洞部４がハウジング２の上面及び底面に形成された開口４ａ及び４ｂに連通している、すなわち空洞部４の上下が開口しているので、空洞部４の内側を外気が通過する。そのため、空洞部４を形成する壁を介して、ハウジング２の内部で発生した熱を放熱することも可能である。
【００２７】
また、本実施形態の構成は、従来のものの構成と比較して、ハウジング２の略中央部に空気層を形成するための空洞部４をさらに形成しただけであるので、ハウジング２を製造するための金型が若干複雑になる程度であって、ハウジング２の製造コストは従来のものと差はない。むしろ、冷却ファン３として、パワーの小さいものを用いることができるなど、冷却対策に必要なコストを低減することが可能になる。また、熱絶縁のための空気層として、ハウジング２の前後方向における空洞部４の厚さは、さほど大きくなくてよい。そのため、プロジェクタ１自体の大きさも、従来のものとほとんど変わらない。むしろ、光源１１と制御部２０の距離を近くすることができるので、プロジェクタ１の小型軽量化も可能である。
【００２８】
なお、本発明は、上記実施形態の構成に限定されるものではなく、様々な変形が可能である。例えば、ハウジング２の上面及び底面には、必ずしも空洞部４と連通する開口４ａ及び４ｂを設ける必要はなく、空洞部４が閉空間であってもよい。また、開口４ａ及び４ｂは、空洞部４の全面に連通している必要はなく、部分的なもの、例えばメッシュ状のものであってもよい。さらに、空洞部４は、必ずしもその断面が矩形状である必要はなく、その他の形状であってもよい。さらに、プロジェクタ１は、ＤＭＤ１７を用いたものに限定されず、画像形成素子として液晶表示素子などを用いたものであってもよい。
【００２９】
すなわち、本発明に係るプロジェクタは、画像を形成する画像形成素子と、画像形成素子を照明する光源と、画像形成素子により形成された画像を前方に拡大投影する投影レンズと、画像形成素子及び光源を駆動するための駆動回路が実装された回路基板と、各部材を収納するハウジングを備え、ハウジングは、画像形成素子と、光源と、投影レンズが収納される第１収納部と、回路基板が収納される第２収納部と、第１収納部と第２収納部を熱的に絶縁するための空気層を形成する空洞部を有していればよい。
【図面の簡単な説明】
【００３０】
【図１】本発明の一実施形態に係るプロジェクタの構成を示す平面断面図。
【図２】上記プロジェクタの外観構成を示す斜視図。
【図３】上記プロジェクタの回路構成を示すブロック図。
【符号の説明】
【００３１】
１  プロジェクタ
２  ハウジング
２Ａ  第１収納部
２Ｂ  第２収納部
２Ｃ、２Ｄ  導通部
３  冷却ファン
４  空洞部
５Ａ、５Ｂ  ケーブル
１０  光学エンジン
１１  光源
１２  反射板
１３  カラーホイール
１４  モータ
１５  光トンネル
１６  ミラー
１７  ＤＭＤ（デジタルマイクロミラーデバイス）
１８  投影レンズ
２０  制御部
２１  ＤＭＤ駆動回路
２２  全体制御回路
２３  光源駆動回路
２４  電源回路
２５  第１回路基板
２６  第２回路基板
【図１】
2007316175.tif 000003
【図２】
2007316175.tif 000004
【図３】
2007316175.tif 000005